(57)【要約】【課題】電力を供給するためのコードが断線することが予想される程度に損傷していることを予め検出することで、安全性を向上させることが可能な安全装置つき電源コードを提供する。【解決手段】複数の異なる材質の導線からなるコードとプラグとからなる安全装置つき電源コードであって、コードは、第１の導線が第２の導線よりも損傷しやすい材質で形成され、プラグは、第１の導線が断線を検出した場合に、コードへの電力供給を停止することを特徴とする安全装置つき電源コード。【選択図】図１
2011192493.tif 000002
【特許請求の範囲】
【請求項１】
複数の導線からなるコードとプラグとを有する安全装置つき電源コードであって、
前記コードは、第１の導線が第２の導線よりも損傷しやすい材質で形成され、
前記プラグは、前記第１の導線が断線したことを検出した場合に、前記コードへの電力供給を停止することを特徴とする安全装置つき電源コード。
【請求項２】
複数の導線からなるコードとプラグとを有する安全装置つき電源コードであって、
前記コードは、第１の導線が第２の導線よりも損傷しやすい材質で形成され、
前記プラグは、前記第１の導線が断線したことを検出する断線検出部と、
前記断線検出部が断線を検出した場合に、前記コードへの電力供給を停止する電源遮断制御部とを備えることを特徴とする安全装置つき電源コード。
【請求項３】
前記断線検出部は、前記第１の導線に流れる電流の有無によって断線を検出することを特徴とする請求項２に記載の安全装置つき電源コード。
【発明の詳細な説明】
【技術分野】
【０００１】
本発明は、安全性を向上させる電源コードに関する。
【背景技術】
【０００２】
近年、パーソナルコンピュータを始めとする電子機器や電化製品に電力を供給するための電源コードにおいて、電源コードが、ユーザーによって折り曲げられたり、引っ張られることで劣化し、破損することがある。さらに、電源コードが破損することで、火傷や火災などの被害が生じることもある。
【０００３】
従来、このような電源コードの破損を防止するためには、電源ケーブルを太くするなどの対策が取られていたが、取り扱い上の柔軟性が失われ、使い勝手が悪いという問題があった。
【０００４】
さらに、折り曲げや引っ張りに対する抵抗力を持たせるためのプラグや電子機器の付け根部分の電源コードにプロテクタを取り付けて補強するものがあったが、内部の電源ケーブルが劣化すれば、上述するような火傷や火災が発生する問題の解決にはならなかった。
【０００５】
そこで、２本の電源線と、これらの中間で電源線の被服部までの厚さよりも薄く形成された位置に配置された感知線とを備え、電源線の破断した細線の先端が感知線に接触し、電流が感知線に流れるようになると、２本の電源線の間に電流差が生じるため、電流差を電源遮断装置が検知すると電源を遮断する安全装置つきコードが特許文献１に開示されている。
【０００６】
【特許文献１】特開２００３−１７１９５号公報
【発明の開示】
【発明が解決しようとする課題】
【０００７】
しかしながら、特許文献１に開示されている安全装置つきコードでは、破断した細線の先端が感知線に接触するまでは電流差が検知されず、電源が遮断されないことになるため、依然として安全性に問題があった。
【０００８】
そこで、本発明は、電力を供給するためのコードが断線することが予想される程度に損傷していることを予め検出することで、安全性を向上させることが可能な安全装置つき電源コードを提供することを目的とする。
【課題を解決するための手段】
【０００９】
本発明の第１の安全装置つき電源コードは、複数の異なる材質の導線からなるコードとプラグとからなる安全装置つき電源コードであって、前記コードは、第１の導線が第２の導線よりも損傷しやすい材質で形成され、前記プラグは、前記第１の導線が断線したことを検出した場合に、前記コードへの電力供給を停止することを特徴とする。
【００１０】
本発明の第２の安全装置つき電源コードは、複数の異なる材質の導線からなるコードとプラグとからなる安全装置つき電源コードであって、前記コードは、第１の導線が第２の導線よりも損傷しやすい材質で形成され、前記プラグは、前記第１の導線が断線したことを検出する断線検出部と、前記断線検出部が断線を検出した場合に、前記コードへの電力供給を停止する電源遮断制御部とを備えることを特徴とする。
【００１１】
本発明の第３の安全装置つき電源コードは、さらに、前記第１の導線は断線検出に用いる導線であり、前記第２の導線は電力供給用の導線であることを特徴とする。
【発明の効果】
【００１２】
本発明によれば、電力を供給するためのコードが断線することが予想される程度に損傷していることを予め検出することで、安全性を向上させることが可能な安全装置つき電源コードを提供する。
【図面の簡単な説明】
【００１３】
【図１】本発明の実施の形態の安全装置つき電源コードの構成を説明するためのブロック図である。
【図２】本発明の実施の形態の安全装置つき電源コードの電源コードを説明するための図である。
【図３】本発明の実施の形態の安全装置つき電源コードの断線検出方法の一例を説明するための図である。
【図４】本発明の実施の形態の安全装置つき電源コードの動作を説明するためのフローチャートである。
【発明を実施するための形態】
【００１４】
以下、図面を参照して本発明を実施するための最良の形態について説明する。図１を参照すると、本発明の実施の形態の安全装置つき電源コードは、コード１０と、プラグ２０とからなる。
【００１５】
図２は、コード１０の断面図である。コード１０は、図２を参照すると、電線１１ａ、１１ｂと、予備線１１ｃとから構成される。電線１１ａと、電線１１ｂとは、電源を供給するための導線である。一方、電線１１ｃは、断線を検出するために用いる導線である。電線１１ａ、１１ｂと、予備線１１ｃとは、異なる材質の導線で形成されている。予備線１１ｃは、電線１１ａ、１１ｂよりも曲げ伸ばしされることで損傷（断線）しやすい材質を用いる。より具体的には、一例として、電線１１ａ、１１ｂの材質としては、銅を用いる。電線１１ａ、１１ｂの材質が銅である場合、予備線１１ｃの材質として、一例として、アルミニウムを用いる。
【００１６】
図１を参照すると、プラグ２０は、断線検出部２１と、電源遮断制御部２２と、コンセント端子２３ａ、２３ｂとから構成される。
【００１７】
断線検出部２１は、予備線１１ｃの断線状況を検出する。以下に、図３を参照して、断線の検出の方法について、一例を説明する。
【００１８】
図３を参照すると、安全装置つき電源コードの他方には、プラグ３０がコード１０を介して接続されている。また、図３を参照すると、プラグ３０側において、電線１１ａと予備線１１ｃとは接続されている。  プラグ３０に電子機器等が接続されると、電線１１ａと、予備線１１ｃとを介して、プラグ２０側からプラグ３０側へ電流が流れる。
【００１９】
図３を参照すると、電流検出部２１ａは、プラグ３０側に向けて流れる電流を測定する。
【００２０】
一方、電流検出部２２ｂは、予備線１１ｃを介して、プラグ３０側に向けて流れる電流を測定する。ここで、電流検出部２１ａでは、電流が測定されていたにもかかわらず、電流検出部２２ｂでは電流が測定されなかった場合、断線判断部２１ｃは、予備線１１ｃが断線していると判断する。
【００２１】
なお、図３においては、安全装置つき電源コードの他方には、プラグ３０が接続されているものとして説明をしているが、安全装置つき電源コードの他方には、直接に電子機器が接続されていても良い。
【００２２】
電源遮断制御部２２は、断線検出部２１が、予備線１１ｃが断線していることを検出した場合に、コンセント端子２３ａ、２３ｂを介して得た電力を、電線１１ａ及び電線１１ｂに供給することを遮断するスイッチである。
【００２３】
次に、図４を参照して、本発明の実施の形態の動作について説明する。図４は、本発明の実施の形態の動作を説明するためのフローチャートである。
【００２４】
図４を参照すると、まず、断線検出部２１は、予備線１１ｃが断線しているかどうかを検出する（ステップＳ１）。
【００２５】
ステップＳ１で、予備線１１ｃの断線を検出した場合（ステップＳ１／ＹＥＳ）、断線検出部２１は、断線を検出したことを示す信号（断線検出信号）を、電源遮断制御部２２に送出する（ステップＳ２）。
【００２６】
ステップＳ２で、断線検出信号が送出されると、電源遮断制御部２２が、断線検出信号を受信すると、電線１１ａ、１１ｂに電力を供給することを停止する（ステップＳ３）。
【００２７】
なお、ステップＳ３で、電力を供給することを停止する代わりに、プラグ２０に備える表示部（不図示）に、断線する可能性が高い程度に電線１１ａ、１１ｂが損傷していることを通知する旨を示す情報を表示するとしても良い。これにより、ユーザーが損傷の状態を視認することができる。
【００２８】
以上のような処理により、予備線１１ｃの断線が検出されれば、電線１１ａ、１１ｂが、断線する可能性の高い程度に損傷している状態であるため、電線１１ａ、１１ｂへの電力の供給を停止する。このような構成にすることにより、従来の電源コードより、安全性を向上させることのできる安全装置つき電源コードを提供することが可能となる。
【符号の説明】
【００２９】
１０  コード
１１ａ、１１ｂ  電線
１１ｃ  予備線
２０  プラグ
２１  断線検出部
２１ａ  電流検出部
２１ｂ  電流検出部
２１ｃ  断線判断部
２２  電源遮断制御部
２３ａ、２３ｂ  コンセント端子
３０  プラグ
【図１】
2011192493.tif 000003
【図２】
2011192493.tif 000004
【図３】
2011192493.tif 000005
【図４】
2011192493.tif 000006